(57)【特許請求の範囲】
【請求項１】
浴槽と、
洗い場パンと、
少なくとも前記洗い場パンから立設し、かつ浴室の周囲を取り囲む複数の壁パネルと、
前記浴槽および前記洗い場パンの下方領域であって前記浴室の下方領域全体を覆い、かつ前記浴室の前記下方領域から立ち上がって前記複数の壁パネルの各々の外方を取り囲む防水パンと、
前記浴室の上方を覆う天井とを備え、
前記防水パンの上端部は、前記壁パネルと前記天井との間に挟みこまれて固定されている、システムバスの防水構造。
【請求項２】
浴槽と、
洗い場パンと、
少なくとも前記洗い場パンから立設し、かつ浴室の周囲を取り囲む複数の壁パネルと、
前記浴槽および前記洗い場パンの下方領域であって前記浴室の下方領域全体を覆い、かつ前記浴室の前記下方領域から立ち上がって前記複数の壁パネルの各々の外方を取り囲む防水パンとを備え、
前記防水パンの上端部には、前記壁パネルと建築躯体との間で前記壁パネルと前記建築躯体とのいずれかに押し当てることができるように折り曲げ部が形成されている、システムバスの防水構造。
【請求項３】
前記複数の壁パネルからなる前記浴室の壁部にはドア用開口部が設けられており、前記防水パンは前記ドア用開口部に対応する箇所に切欠部を有している、請求項１または２に記載のシステムバスの防水構造。
【請求項４】
前記ドア用開口部に取付けられたドア枠をさらに備え、
前記防水パンの前記切欠部の端部は前記ドア枠に固定されている、請求項３に記載のシステムバスの防水構造。
【請求項５】
前記防水パンは下面に排水部を有している、請求項１〜４のいずれかに記載のシステムバスの防水構造。
【発明の詳細な説明】
【技術分野】
【０００１】
本発明は、システムバスの防水構造に関するものである。
【背景技術】
【０００２】
浴室用の防水パンは、たとえば実公平４−４６６３６号公報（特許文献１）に開示されている。この公報には、洗い場パン、エプロン部および浴槽設置枠の三者が一体的に形成された浴室用の腰高防水パンが開示されている。
【０００３】
またユニットバスなどの防水パンは、たとえば実公平７−５４４７５号公報（特許文献２）に開示されている。この公報には、浴槽載置用パンと洗い場パンとが一体となった防水パンが開示されている。
【先行技術文献】
【特許文献】
【０００４】
【特許文献１】実公平４−４６６３６号公報
【特許文献２】実公平７−５４４７５号公報
【発明の概要】
【発明が解決しようとする課題】
【０００５】
システムバスは、生産・出荷し、現場へ輸送し、現場で組み立てるという工程を経て完成製品となるため、システムバスにおいては品質管理が困難で、水周りでの使用により経年的な劣化が発生しやすい。このため、上記２つの公報に記載の防水パンでは、外部への漏水が発生してしまう場合がある。漏水が発生した場合には、システムバスを内部に設置した建築物の建築躯体を傷めてしまうことがある。
【０００６】
特に２階以上の階に設置される場合、二重防水パン構造にするなどの部品追加を行って水密性を確保しているが、コストや組立て時の手間の増加が顕著である。またこれに加えて、二重防水パン構造においても品質の管理が難しい。
【０００７】
また上記２つの公報に記載の防水パンでは、システムバスの組立てが完了しても、湿式のシール材の乾燥には約２４時間が必要であり、シール材は未硬化の状態で床下からの隙間風を受けることなる。これにより、シール材に気泡が入ったり、シール材が浮いてしまったりする。
【０００８】
また床下からの外気が通気口などから流入するため、上記２つの公報に記載の防水パンでは、冬場にはシステムバスの部材が凍結しやすい状態となり、浴室全体も冷えやすい状態となる。
【０００９】
本発明は、上記の課題に鑑みてなされたものであり、その目的は、システムバスの外部への漏水を防止でき、かつシステムバスが床下からの隙間風を直接受けることを防止できるシステムバスの防水構造を提供することである。
【課題を解決するための手段】
【００１０】
本発明の一および他のシステムバスの防水構造は、浴槽と、洗い場パンと、複数の壁パネルと、防水パンとを備えている。複数の壁パネルは、少なくとも洗い場パンから立設し、かつ浴室の周囲を取り囲んでいる。防水パンは、浴槽および洗い場パンの下方領域であって浴室の下方領域全体を覆い、かつ浴室の下方領域から立ち上がって複数の壁パネルの各々の外方を取り囲んでいる。
【００１１】
本発明の一および他のシステムバスの防水構造によれば、防水パンが浴室の下方領域全体と複数の壁パネルの各々の外方とを取り囲んでいる。このため、品質管理が困難な場合や、経年劣化が生じた場合であって浴槽、洗い場パン、壁パネルから漏水が発生した場合であっても、漏れ出た水を防水パンによって受けることができる。これにより、漏水で建築躯体を傷めることが防止できる。
【００１２】
また本発明の一および他の防水パンを用いることにより２階以上の階に設置する場合にも品質の確保が容易である。
【００１３】
また防水パンが浴室の下方領域全体と複数の壁パネルの各々の外方とを取り囲んでいるため、防水パンで覆われた浴室の下方領域全体と壁パネルの外壁が床下からの隙間風を直接受けることが防止される。このため、その隙間風をシール材が受けることによりシール材に気泡が入ることや、シール材が浮いてしまうことが防止できるとともに、冬場のシステムバス部材の凍結や浴室全体の冷えも抑制できる。
【００１５】
上記の一のシステムバスの防水構造において、当該防水構造は、浴室の上方を覆う天井をさらに備えている。防水パンの上端部は、壁パネルと天井との間に挟みこまれて固定されている。これにより、防水パン内の密閉性を向上させることができ、漏水があった際に湿気が建築躯体側へ拡散することを防止することができる。
【００１６】
上記の他のシステムバスの防水構造において、防水パンの上端部には、壁パネルと建築躯体との間で壁パネルと建築躯体とのいずれかに押し当てることができるように折り曲げ部が形成されている。これにより、防水パンの上端部を壁パネルと建築躯体との間で支持できる。このため、防水パン内の密閉性を向上させることができ、漏水があった際に湿気が建築躯体側へ拡散することを防止することができる。
【００１７】
上記の一および他のシステムバスの防水構造において、複数の壁パネルからなる浴室の壁部にはドア用開口部が設けられており、防水パンはドア用開口部に対応する箇所に切欠部を有している。これにより、ドアの設置およびドアの開閉操作が可能となる。
【００１８】
上記の一および他のシステムバスの防水構造において、当該防水構造は、ドア用開口部に取付けられたドア枠をさらに備えている。防水パンの切欠部の端部はドア枠に固定されている。これにより、防水パン内の密閉性を向上させることができ、漏水があった際に湿気が建築躯体側へ拡散することを防止することができる。
【００１９】
上記の一および他のシステムバスの防水構造において、防水パンは下面に排水部を有している。このように排水部を設け、その排水部を建築物の外側（屋外）に伸ばすことで、建築躯体を傷めることなく防水パン内の水を排出することが可能となる。
【発明の効果】
【００２０】
以上説明したように本発明のシステムバスの防水構造によれば、防水パンが浴室の下方領域全体と複数の壁パネルの各々の外方とを取り囲んでいるため、システムバスの外部への漏水を防止でき、かつシステムバスが床下からの隙間風を直接受けることを防止できる。
【図面の簡単な説明】
【００２１】
【図１】本発明の一実施の形態におけるシステムバスの防水構造の構成を示す概略斜視図である。
【図２】図１の状態から防水パンを除いた構成を示す概略斜視図である。
【図３】図１のＩＩＩ−ＩＩＩ線に沿う概略断面図である。
【図４】本発明の一実施の形態におけるシステムバスの防水構造に用いられる貫通接続部の構成を示す部分断面図である。
【図５】本発明の一実施の形態におけるシステムバスの防水構造に用いられる防水パンの構成を示す概略斜視図である。
【図６】本発明の一実施の形態におけるシステムバスの防水構造に用いられる防水パンを建築物内に設置した様子を示す概略斜視図である。
【図７】本発明の一実施の形態におけるシステムバスの防水構造を建築物内に設置した様子を示す概略斜視図である。
【図８】本発明の一実施の形態におけるシステムバスの防水構造の防水パンの排水部を基礎内に通した様子を示す断面図である。
【図９】本発明の一実施の形態におけるシステムバスの防水構造の防水パンの排水部を基礎内に通した様子を示す部分破断斜視図である。
【図１０】本発明の一実施の形態におけるシステムバスの防水構造に用いられる防水パンに建築躯体の形状に合わせた段差を設けた構成を示す断面図である。
【図１１】本発明の一実施の形態におけるシステムバスの防水構造に用いられる防水パンの上端部に折り曲げ部を設けた構成（成型・出荷時の形状）を示す部分拡大斜視図である。
【図１２】本発明の一実施の形態におけるシステムバスの防水構造に用いられる防水パンの上端部に折り曲げ部を設けた構成（現場設置時の形状）を示す部分拡大斜視図である。
【図１３】本発明の一実施の形態におけるシステムバスの防水構造に用いられる防水パンの上端部の折り曲げ部が壁パネルと建築躯体との間で壁パネルに押し付けられた様子を示す斜視図である。
【図１４】本発明の一実施の形態におけるシステムバスの防水構造に用いられる防水パンの上端部がドア枠と天井との間に挟まれた様子を示す斜視図である。
【図１５】図１４の領域Ｒを拡大して示す斜視図である。
【図１６】本発明の一実施の形態におけるシステムバスの防水構造に用いられる防水パンの上端部が天井と壁パネルとの間に挟まれた様子を示す概略斜視図である。
【図１７】本発明の一実施の形態におけるシステムバスの防水構造に用いられる防水パンの切欠部の端部がドア枠に固定された様子を示す斜視図である。
【発明を実施するための形態】
【００２２】
以下、本発明の実施の形態について図に基づいて説明する。
図１〜図３を参照して、本発明の一実施の形態におけるシステムバスの防水構造１は、防水パン２と、複数の壁パネル３と、洗い場パン４と、天井５と、浴槽６と、水栓金具（カラン）７と、架台８ａと、複数の支持部８ｂとを主に有している。
【００２３】
複数の壁パネル３、洗い場パン４、天井５および浴槽６は、浴室１０の周囲を取り囲んでいる。浴槽６および洗い場パン４は、浴室１０の下部に配置されている。浴槽６は、入浴者が入浴するためのものである。洗い場パン４は、浴室１０の床面を構成している。
【００２４】
架台８ａは、建築物の床面に設置されるものであり、浴槽６を下から支持している。本実施の形態においては、架台８ａは浴槽６を下から直接支持しているが、浴槽６の下に浴槽パン（図示せず）を配置し、複数の支持部８ｂで下から支持していてもよい。複数の支持部８ｂは、洗い場パン４を下から支持している。
【００２５】
複数の壁パネル３は、浴槽６および洗い場パン４から立設し、かつ浴室１０の周囲を取り囲んでいる。複数の壁パネル３からなる浴室１０の壁部には、ドア用開口部３ａが設けられている。このドア用開口部３ａには、ドア（図示せず）を取付けるためのドア枠９が取付けられている。
【００２６】
水栓金具７は、浴室１０の内部に位置するように複数の壁パネル３からなる浴室１０の壁部に取付けられている。この水栓金具７は、壁パネル３に設けた孔を通じて浴室１０の内部と外部とを繋ぐための貫通接続部の１つである。具体的には水栓金具７は、図４に示すように、壁パネル３を貫通するように設けた孔３ｂを通じて浴室１０の外部に位置する配管７ａに接続されている。また貫通接続部は、上記の水栓金具７だけでなく、浴室１０の内部の壁パネル３に取付けられ、かつ壁パネル３に設けた貫通孔を通じて浴室１０の外部から給電される浴室リモコンなどの電気機器であってもよい。
【００２７】
天井５は、浴室１０の上部を覆うように配置されている。
図１、図３および図５を参照して、防水パン２は有底筒状の形状（上方が開口された箱形状）を有している。この防水パン２は、浴槽６および洗い場パン４の下方領域であって浴室１０の下方領域全体を覆い、かつ浴室１０の下方領域から立ち上がって複数の壁パネル３の各々の外方（浴室１０の外側）を取り囲んでいる。
【００２８】
防水パン２は、ドア用開口部３ａに対応する箇所に切欠部２ｂを有している。また防水パン２は、下面に排水部２ａを有している。防水パン２は、全体が同じ軟質材よりなっていてもよく、また底部分が硬質材よりなるとともに立ち上がり部分が硬質材よりなっていてもよい。また防水パン２は、架台８ａの脚や支持部８ｂと嵌合する形状を有していてもよい。
【００２９】
防水パン２の材質は、防水パン２の全体を同じ軟質材とする場合には、たとえばポリプロピレン（ＰＰ）やポリエチレン（ＰＥ）などのオレフィン系樹脂などであることが好ましい。また防水パン２が軟質材と硬質材とを有する場合には、防水パン２の硬質材の材質は、たとえばポリプロピレン（ＰＰ）やポリエチレン（ＰＥ）などのオレフィン系樹脂、ＦＲＰ（Fiber  Reinforced  Plastics）、ＤＣＰＤ（ジシクロペンタジェン）などであることが好ましい。また防水パン２の軟質材の材質は、たとえばオレフィン系樹脂、エラストマー、ＥＰＤＭ（エチレンプロピレンジエンゴム）などであることが好ましい。硬質材と軟質材との接合方法には、インモールド、溶着、別部材の固定、カシメなどを用いることが好ましい。
【００３０】
この防水パン２は、架台８ａおよび複数の支持部８ｂの各々の下側に位置していることが好ましい。また防水パン２は、図４に示すように貫通接続部（たとえば水栓金具７）の外方を覆うように貫通接続部の壁パネル３への取付け高さ位置よりも高い位置にまで伸びるように設けられている。
【００３１】
次に、本実施の形態におけるシステムバスの防水構造１の建築物への設置方法について図６〜図１０を用いて説明する。
【００３２】
まず図６を参照して、防水パン２が建築物内に設置される。なお建築物は、一般的には、基礎２１と、その基礎２１上に配置された土台２２と、土台２２上に立てられた複数本の柱２３と、複数本の柱２３の上部を繋ぐ梁と、梁により支持された天井部２４とを主に有している。
【００３３】
図７を参照して、防水パン２を設置した状態で、架台８ａ、浴槽６、洗い場パン４、複数の壁パネル３、天井５が建築物内に設置される。これにより、建築物内にシステムバスの防水構造１が設置される。
【００３４】
なお防水パン２を建築物内に設置する際には、図６、図８および図９に示すように、防水パン２の排水部２ａが基礎２１に設けた孔を通じて建築物の外部に伸ばされる。この排水部２ａの建築物の外部に延びた先端には、蛇口（開閉弁）が取付けられていてもよい。この蛇口を定期的に開閉することにより、漏水しているか否かの定期的な検査が可能となる。
【００３５】
またシステムバスの防水構造１の設置の際には、図１０に示すように、建築躯体である基礎２１と土台２２との間の段差Ｓを考慮することが好ましい。つまり基礎２１と土台２２との間の段差Ｓに沿うように防水パン２も段差２ｓを有していることが好ましい。これにより、建築躯体の形状に合わせて浴室１０を最大限に広げることが可能となる。
【００３６】
次に、本実施の形態における防水パン２の支持構造について図１１〜図１７を用いて説明する。
【００３７】
図１１を参照して、成型・出荷時の形状において、防水パン２の上端部に折り曲げ部２ｃが設けられていることが好ましい。また防水パン２は、折り曲げ部２ｃの下部に、他の部分よりも厚みの薄い折り返し部２ｄを有していることが好ましい。これにより、図１２に示すように、現場設置時において、折り返し部２ｄで防水パン２の上端部を折り返すことが可能となる。このように折り返すことにより図１３に示すように、建築躯体の柱２３と壁パネル３との間で折り曲げ部２ｃを壁パネル３に押し当てることができる。これにより、防水パン２の上端部を柱２３と壁パネル３との間で支持することが可能となる。
【００３８】
図１１〜図１３においては、折り曲げ部２ｃを折り返し部２ｄにおいて防水パン２の内側に折り返した場合について説明したが、折り曲げ部２ｃは折り返し部２ｄにおいて防水パン２の外側に折り返されてもよい。この場合には、建築躯体の柱２３と壁パネル３との間で折り曲げ部２ｃを柱２３に押し当てることができる。また防水パン２の上端部にビス止め用の孔２ｅを設け、この孔２ｅを通してビスを壁パネル３側から柱２３にねじ込むことにより、防水パン２は柱２３などの建築躯体に固定されてもよい。この折り曲げ部２ｃを押し付けることによる支持と、ビスによる固定とはそれぞれ個別に用いられてもよく、また併用されてもよい。
【００３９】
また壁パネル３同士を接続する主柱の裏面に防水パン２の端部を引っ掛ける部分が設けられてもよい。これにより、防水パン２が主柱（縦桟）に引っ掛けられてもよい。
【００４０】
図１４および図１５を参照して、防水パン２の上端部は、天井５とドア枠９との接合部にまで伸び、かつ天井５とドア枠９の上枠との間で挟み込まれて固定されてもよい。また図１６を参照して、防水パン２の上端部は、天井５と壁パネル３との接合部にまで伸び、かつ天井５と壁パネル３との間で挟み込まれて固定されてもよい。
【００４１】
図１７を参照して、防水パン２の切欠部２ｂの端部は、ドア枠９に固定されてもよい。
次に、本実施の形態の作用効果について説明する。
【００４２】
本実施の形態のシステムバスの防水構造１によれば、図１に示すように防水パン２が浴室１０の下方領域全体と複数の壁パネル３の各々の外方とを取り囲んでいる。このため、品質管理が困難な場合や、経年劣化が生じた場合であって浴槽６、洗い場パン４、壁パネル３から漏水が発生した場合であっても、漏れ出た水を防水パン２によって受けることができる。これにより、漏水で建築躯体（基礎２１、土台２２、柱２３など）を傷めることが防止できる。また浴槽パンを設け、その浴槽パンからの漏水があった場合も、建築躯体を傷めることを防止できる。
【００４３】
また本実施の形態の防水パン２を用いることにより２階以上の階に設置する場合にも水密性を確保できる。
【００４４】
また防水パン２が浴室１０の下方領域全体と複数の壁パネル３の各々の外方とを取り囲んでいるため、防水パン２で覆われた浴室１０の下方領域全体と壁パネル３の外壁が床下からの隙間風を直接受けることが防止される。このため、その隙間風をシステムバスのシール材が受けることによりシール材に気泡が入ることや、シール材が浮いてしまうことが防止できる。また、冬場のシステムバス部材の凍結や浴室１０全体の冷えも抑制でき、保温効果が高まるとともに、部材の結露を防止することができる。
【００４５】
また防水パン２の少なくとも一部に軟質材を用いることにより防水パン２を変形可能とすることができる。これにより、建築物の狭小スペース内にも防水パン２を搬入することができる。また防水パン２の底部を硬質材とすることにより、防水パン２底部の強度を向上させることができる。
【００４６】
また本実施の形態の防水パン２は、図４に示すように貫通接続部（たとえば水栓金具７）の外方を覆うように貫通接続部の壁パネル３への取り付け高さ位置よりも高い位置にまで伸びるように設けられている。これにより、壁パネル３の貫通孔３ｂを通じて漏水が発生した場合でも、漏れ出た水を防水パン２によって受けることができ、漏水で建築躯体を傷めることが防止できる。
【００４７】
また本実施の形態の防水パン２の上端部は、図１４〜図１６に示すように天井５と壁パネル３およびドア枠９の少なくとも一方との接合部にまで伸び、かつ壁パネル３およびドア枠９の上枠の少なくとも一方と天井５との間に挟みこまれて固定されている。これにより、防水パン２内の密閉性を向上させることができ、漏水があった際に湿気が建築躯体側へ拡散することを防止することができる。
【００４８】
また本実施の形態の防水パン２の上端部には、図１１〜図１３に示すように壁パネル３と建築躯体（たとえば柱２３）との間で壁パネル３と建築躯体とのいずれかに押し当てることができるように折り曲げ部２ｃが形成されている。これにより、防水パン２の上端部を壁パネル３と建築躯体との間で支持することができる。このため、防水パン２内の密閉性を向上させることができ、漏水があった際に湿気が建築躯体側へ拡散することを防止することができる。
【００４９】
また本実施の形態の防水パン２はドア用開口部３ａに対応する箇所に切欠部２ｂを有している。これにより、システムバスへのドアの設置およびドアの開閉操作が可能となる。
【００５０】
また本実施の形態の防水パン２の切欠部２ｂの端部は、図１７に示すようにドア枠９に固定されている。これにより、防水パン２内の密閉性を向上させることができ、漏水があった際に湿気が建築躯体側へ拡散することを防止することができる。
【００５１】
また本実施の形態の防水パン２は、図１に示すように下面に排水部２ａを有しているため、その排水部２ａを建築物の外側（屋外）に伸ばすことで、建築躯体を傷めることなく防水パン２内の水を建築物の外部へ排出することが可能となる。
【００５２】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【産業上の利用可能性】
【００５３】
本発明は、システムバスの防水構造に有利に適用され得る。
【符号の説明】
【００５４】
１  システムバスの防水構造、２  防水パン、２ａ  排水部、２ｂ  切欠部、２ｃ  折り曲げ部、２ｄ  折り返し部、２ｅ  ビス止め用の孔、３  壁パネル、３ａ  ドア用開口部、３ｂ  貫通孔、４  洗い場パン、５  天井、６  浴槽、７  水栓金具、８ａ  架台、８ｂ  支持部、９  ドア枠、１０  浴室、２１  基礎、２２  土台、２３  柱、２４  天井部。
【図１】
0005869897.tif 000002
【図２】
0005869897.tif 000003
【図３】
0005869897.tif 000004
【図４】
0005869897.tif 000005
【図５】
0005869897.tif 000006
【図６】
0005869897.tif 000007
【図７】
0005869897.tif 000008
【図８】
0005869897.tif 000009
【図９】
0005869897.tif 000010
【図１０】
0005869897.tif 000011
【図１１】
0005869897.tif 000012
【図１２】
0005869897.tif 000013
【図１３】
0005869897.tif 000014
【図１４】
0005869897.tif 000015
【図１５】
0005869897.tif 000016
【図１６】
0005869897.tif 000017
【図１７】
0005869897.tif 000018